【手続補正書】
【提出日】令和3年1月20日(2021.1.20)
【手続補正１】
【補正対象書類名】特許請求の範囲
【補正対象項目名】全文
【補正方法】変更
【補正の内容】
【特許請求の範囲】
【請求項１】
方法であって、
タッチ感知面とディスプレイとを有する電子デバイスにおいて、
前記ディスプレイに、１つ以上のユーザインタフェース要素の第１のセットと、１つ以上のユーザインタフェース要素の第２のセットとを含む、複数のユーザインタフェース要素を表示することと、
前記複数のユーザインタフェース要素を表示している間に、前記タッチ感知面上で第１の方向における第１の接触の移動を検出することと、
前記タッチ感知面上で前記第１の方向における前記第１の接触の移動を検出することに応じて、前記１つ以上のユーザインタフェース要素の第２のセットの表示を継続しつつ、前記１つ以上のユーザインタフェース要素の第１のセットの表示を停止することと、
前記１つ以上のユーザインタフェース要素の第１のセットが表示されておらず、前記１つ以上のユーザインタフェース要素の第２のセットが表示されている間に、前記タッチ感知面上でタップ入力を検出することと、
前記タッチ感知面上で前記タップ入力を検出することに応じて、前記１つ以上のユーザインタフェース要素の第２のセットの表示を継続しつつ、前記１つ以上のユーザインタフェース要素の第１のセットを表示することと、
を含む方法。
【請求項２】
前記第１の方向は下方向である、請求項１に記載の方法。
【請求項３】
前記タッチ感知面上で前記タップ入力を検出することは、前記ディスプレイに前記複数のユーザインタフェース要素を表示することにより前に行われ、
前記ディスプレイに前記複数のユーザインタフェース要素を表示することは、前記タッチ感知面上で前記タップ入力を検出したことに応じて行われる、
請求項１または２に記載の方法。
【請求項４】
前記タッチ感知面上で前記タップ入力を検出することは、前記１つ以上のユーザインタフェース要素の第２のセットの表示を継続しつつ、前記１つ以上のユーザインタフェース要素の第１のセットの表示を停止した後に行われ、
前記１つ以上のユーザインタフェース要素の第２のセットの表示を継続しつつ、前記１つ以上のユーザインタフェース要素の第１のセットの表示することは、前記１つ以上のユーザインタフェース要素の第２のセットの表示を継続しつつ、前記１つ以上のユーザインタフェース要素の第１のセットを再表示することを含む、
請求項１または２に記載の方法。
【請求項５】
前記複数のユーザインタフェース要素を表示することは、前記１つ以上のユーザインタフェース要素の第１のセットを、前記ディスプレイ上の第１の位置に表示することを含み、
前記１つ以上のユーザインタフェース要素の第１のセットを再表示することは、前記１つ以上のユーザインタフェース要素の第１のセットを、前記ディスプレイ上の前記第１の位置に再表示することを含む、
請求項４に記載の方法。
【請求項６】
前記１つ以上のユーザインタフェース要素の第１のセットは、ユーザが選択可能なアイコンのセットを含む、請求項１から５のいずれか１項に記載の方法。
【請求項７】
前記ユーザが選択可能なアイコンのセットは、アプリケーションのセットに対応する、請求項６に記載の方法。
【請求項８】
前記ユーザが選択可能なアイコンのセットのうちのユーザが選択可能なアイコンの選択は、前記電子デバイスに前記選択されたアイコンに対応するアプリケーションを現在アクティブなアプリケーションとして実行させる、請求項７に記載の方法。
【請求項９】
前記タッチ感知面は指紋センサを含む、請求項１から８のいずれか１項に記載の方法。
【請求項１０】
前記タッチ感知面と前記ディスプレイとは、タッチ感知ディスプレイに一体化されている、請求項１から８のいずれか１項に記載の方法。
【請求項１１】
前記タッチ感知ディスプレイは指紋センサを含む、請求項１０に記載の方法。
【請求項１２】
前記１つ以上のユーザインタフェース要素の第２のセットは、第１のアプリケーションと関連付けられている、請求項１から１１のいずれか１項に記載の方法。
【請求項１３】
前記第１のアプリケーションは、地図アプリケーションである請求項１２に記載の方法。
【請求項１４】
前記タッチ感知面上で前記第１の方向における前記第１の接触の移動を検出することに応じて、前記１つ以上のユーザインタフェース要素の第２のセットの表示位置をシフトさせることを更に含む、請求項１から１３のいずれか１項に記載の方法。
【請求項１５】
前記１つ以上のユーザインタフェース要素の第２のセットの前記表示位置をシフトさせることは、前記１つ以上のユーザインタフェース要素の第２のセットの前記表示位置を前記第１の方向にシフトさせることを含む、請求項１４に記載の方法。
【請求項１６】
前記タッチ感知面上で前記第１の方向における前記第１の接触の移動を検出することに応じて、前記１つ以上のユーザインタフェース要素の第２のセットの追加のコンテンツを表示することを更に含む、請求項１から１５のいずれか１項に記載の方法。
【請求項１７】
前記１つ以上のユーザインタフェース要素の第１のセットは、前記ディスプレイの第１の部分を占有し、
前記１つ以上のユーザインタフェース要素の第２のセットは、前記ディスプレイの前記第１の部分とは異なる第２の部分を占有し、
前記１つ以上のユーザインタフェース要素の第１のセットは、アプリケーションのセットに対応するユーザが選択可能なアプリケーションアイコンのセットを含み、
前記ユーザが選択可能なアイコンのセットのうちからユーザ選択可能なアイコンを選択することにより、前記電子デバイスに前記選択されたアイコンに対応するアプリケーションを現在アクティブなアプリケーションとして実行させ、
前記１つ以上のユーザインタフェース要素の第２のセットの表示を継続しつつ、前記１つ以上のユーザインタフェース要素の第１のセットの表示を停止することは、
前記１つ以上のユーザインタフェース要素の第１のセットが前記ディスプレイに表示されなくなるまで、前記１つ以上のユーザインタフェース要素の第１のセットを前記第１の方向へシフトさせることと、
前記１つ以上のユーザインタフェース要素の第２のセットが前記ディスプレイの前記第２の部分から退去し、前記１つ以上のユーザインタフェース要素の第１のセットが退去した前記ディスプレイの前記第１の部分を占有するまで、前記１つ以上のユーザインタフェース要素の第１のセットと共に、前記１つ以上のユーザインタフェース要素の第２のセットを前記第１の方向にシフトさせることと、を含み、
前記１つ以上のユーザインタフェース要素の第２のセットの表示を継続しつつ、前記１つ以上のユーザインタフェース要素の第１のセットを表示することとは、
前記１つ以上のユーザインタフェース要素の第２のセットが前記ディスプレイの前記第１の部分から退去し、前記ディスプレイの前記第２の部分を占有するまで、前記１つ以上のユーザインタフェース要素の第２のセットを第２の方向へシフトさせることと、
前記１つ以上のユーザインタフェース要素の第２のセットが退去した前記ディスプレイの前記第１の部分を前記１つ以上のユーザインタフェース要素の第１のセットが占有するまで、前記１つ以上のユーザインタフェース要素の第２のセットと共に、前記１つ以上のユーザインタフェース要素の第１のセットを前記第２の方向にシフトさせることと、を含む、
請求項１から１６のいずれか１項に記載の方法。
【請求項１８】
コンピュータに請求項１から１７のいずれか１項に記載の方法を実行させるためのコンピュータプログラム。
【請求項１９】
電子デバイスであって、
タッチ感知面と
ディスプレイと、
請求項１８に記載のコンピュータプログラムを記憶したメモリと、
前記メモリに記憶された前記コンピュータプログラムを実行可能な１つ以上のプロセッサと
を備える電子デバイス。
【請求項２０】
電子デバイスであって、
タッチ感知面と、
ディスプレイと、
請求項１から１７のいずれか１項に記載の方法を実行するための手段と
を備える電子デバイス。